(57)【要約】【課題】端末機器１の現状制御状態が目標制御状態から外れた場合に、端末機器１を目標制御状態へ復旧制御させる端末機器制御システムを提供する。【解決手段】端末機器１と、端末機器１を操作する操作手段３と、操作手段３に基づく操作により端末機器１を制御する制御手段２と、端末機器１の所定の目標制御状態と、当該目標制御状態から外れた制御状態が継続され得る猶予時間と、を設定する設定手段４と、端末機器１の現状制御状態が目標制御状態であるか否かを判断する判断手段６と、時間を計測するタイマー手段７と、を備え、端末機器１の現状制御状態が、目標制御状態でないと判断手段６により判断されれば、前記判断手段６はタイマー手段７を用いて猶予時間を計測し、前記記憶手段５に記憶された猶予時間が経過したと計測すれば、制御手段２は制御された端末機器１の当該現状制御状態を一つ前の目標制御状態へ復旧制御させるようにした。【選択図】図１
2010187242.tif 000002
【特許請求の範囲】
【請求項１】
端末機器と、
端末機器を操作する操作手段と、
操作手段に基づく操作により端末機器を制御する制御手段と、
端末機器の所定の目標制御状態と、当該目標制御状態から外れた制御状態が継続され得る
猶予時間と、を設定する設定手段と、
前記設定手段により設定された目標制御状態及び猶予時間を記憶する記憶手段と、
操作手段に基づく操作により、制御手段によって制御された端末機器の現状の現状制御状態と記憶手段に記憶された目標制御状態とを比較し、端末機器の現状制御状態が記憶手段に記憶されている目標制御状態であるか否かを判断する判断手段と、
時間を計測するタイマー手段と、を備え、
操作手段に基づく操作により、制御手段によって、制御された端末機器の現状制御状態が、記憶手段に記憶された目標制御状態でないと判断手段により判断されれば、前記判断手段はタイマー手段を用いて猶予時間を計測し、前記記憶手段に記憶された猶予時間が経過したと計測すれば、制御手段は制御された端末機器の当該現状制御状態を一つ前の目標制御状態へ復旧制御させることを特徴とした端末機器制御システム。
【請求項２】
前記設定手段は、目標制御状態及び猶予時間に加え、端末機器の周囲の環境条件を設定し、
前記設定手段により設定された環境条件は、目標制御状態及び猶予時間に加え記憶手段により記憶され、
前記判断手段は、端末機器の周囲の環境条件と記憶手段に記憶された環境条件とを比較し、
端末機器の現状制御状態が目標制御状態であるか否かを判断するに加え、
端末機器の周囲の環境条件が、記憶手段に記憶された環境条件であるか否かを判断し、
端末機器の現状制御状態が目標制御状態でないと判断手段により判断され、
端末機器の周囲の環境条件が記憶手段に記憶された環境条件であると判断手段により判断され、
判断手段がタイマー手段により猶予時間が経過したと計測した場合に、前記制御手段は、制御された端末機器の現状制御状態を当該制御状態の一つ前の目標制御状態へ復旧制御させることを特徴とした、請求項１記載の端末機器制御システム。
【請求項３】
端末機器の設置エリアが記憶されている機器設置エリア記憶手段を備え、
前記設定手段は、環境条件としてエリアを設定し、前記設定手段により設定されたエリアは記憶手段により記憶され、
前記判断手段は、機器設置エリア記憶手段における端末機器が設置された設置エリアと、前記設定手段により設定され記憶手段に記憶されたエリアとが一致すると判断すれば、制御された端末機器の現状制御状態を当該制御状態の一つ前の目標制御状態へ復旧制御させることを特徴とした請求項２記載の端末機器制御システム。
【請求項４】
時刻検知手段を備え、
前記設定手段は、環境条件として時間帯を設定し、前記設定手段により設定された時間帯は記憶手段により記憶され、
前記判断手段は、時刻検知手段により検知された時刻が、前記設定手段により設定され記憶手段に記憶された時間帯内であると判断すれば、制御された端末機器の現状制御状態を当該制御状態の一つ前の目標制御状態へ復旧制御させることを特徴とした請求項２記載の端末機器制御システム。
【請求項５】
人の存在を検知する人検知手段を備え、
前記設定手段は、環境条件として人の在又は、不在を設定し、前期設定手段により設定された人の在又は、不在は記憶手段により記憶され、
前記判断手段は、環境条件として設定され記憶手段に記憶された人の在又は、不在が人検知手段により検知されたと判断すれば、制御された端末機器の現状制御状態を当該制御状態の一つ前の目標制御状態へ復旧制御させることを特徴とした請求項２記載の端末機器制御システム。
【請求項６】
複数の端末機器を備え、前記設定手段は制御対象である端末機器の目標制御状態及び猶予時間を端末機器単位で設定できることを特徴とした請求項１乃至５のいずれか一項に記載の端末機器制御システム。
【請求項７】
前記設定手段は、制御対象である端末機器の目標制御状態及び猶予時間を端末機器の機能単位で設定できることを特徴とした請求項１乃至５のいずれか一項に記載の端末機器制御システム。
【請求項８】
前記操作手段は、復旧制御させるか否かを、端末機器を操作する際に選択することができる機能を備えることを特徴とした、請求項１乃至７のいずれか一項に記載の端末機器制御システム。
【発明の詳細な説明】
【技術分野】
【０００１】
本願発明は、一又は複数の端末機器が、単独又は、連動して動作するサービスが停止された場合において、端末機器をサービス停止前の動作状態に復旧させる端末機器制御システムに関するものである。
【背景技術】
【０００２】
従来から、エアコンなどの端末機器を個別又は、一括して制御することにより、端末機器の消費エネルギーを削減させて動作させる省エネサービスや、テレビ、ＤＶＤ、カーテン、空調などの端末機器を個別又は、一括して制御することにより、映画を見る環境を整えるホームシアターサービスが知られている。
【０００３】
また、特開２００６−２４３８１５号公報（特許文献１）に示されるように、警戒モードと非警戒モードを手動で切り替えるセキュリティシステムは知られている。このセキュリティシステムは、多重通報機能を備えており、侵入者を検知した場合や、災害を検知した場合や、住人の異常を検知した場合に、宅内に威嚇や警告音を発生するだけでなく、宅外の通行人や近隣の人にも異常を知らせることができるとされている。
【先行技術文献】
【特許文献】
【０００４】
【特許文献１】特開２００６−２４３８１５号公報
【発明の概要】
【発明が解決しようとする課題】
【０００５】
しかしながら、上記従来例であるセキュリティシステムにあっては、例えば、就寝時に警戒モードに設定し、就寝中の警戒モード設定後、急な来客や、思わぬ家人が帰宅したときには、一時警戒モードを解除することが必要である。その場合、その後再度警戒モードに設定し直す必要がある。
【０００６】
しかしながら、家人が警戒モードに設定することを失念する可能性があり、その場合、セキュリティの低い危険な状況下となる。また、省エネサービスや、ホームシアターサービスにおいても、同様にサービスを停止する操作を行った場合、サービスが停止され、サービスにおいて期待される効果を享受することができない。
【０００７】
本願発明は、上記背景技術に鑑みて発明されたものであり、その課題は、停止されたサービスやシステムを人の手を煩わすことなく、自動的に復旧させることである。
【課題を解決するための手段】
【０００８】
上記課題を解決するために、本願請求項１記載の発明では、端末機器と、端末機器を操作する操作手段と、操作手段に基づく操作により端末機器を制御する制御手段と、端末機器の所定の目標制御状態と、当該目標制御状態から外れた制御状態が継続され得る猶予時間と、を設定する設定手段と、前記設定手段により設定された目標制御状態及び猶予時間を記憶する記憶手段と、操作手段に基づく操作により、制御手段によって制御された端末機器の現状の現状制御状態と記憶手段に記憶された目標制御状態とを比較し、端末機器の現状制御状態が記憶手段に記憶されている目標制御状態であるか否かを判断する判断手段と、時間を計測するタイマー手段と、を備え、操作手段に基づく操作により、制御手段によって、制御された端末機器の現状制御状態が、記憶手段に記憶された目標制御状態でないと判断手段により判断されれば、前記判断手段はタイマー手段を用いて猶予時間を計測し、前記記憶手段に記憶された猶予時間が経過したと計測すれば、制御手段は制御された端末機器の当該現状制御状態を一つ前の目標制御状態へ復旧制御させるようにしている。
又、本願請求項２記載の発明では、上記請求項１記載の端末機器制御システムにおいて、前記設定手段は、目標制御状態及び猶予時間に加え、端末機器の周囲の環境条件を設定し、前記設定手段により設定された環境条件は、目標制御状態及び猶予時間に加え記憶手段により記憶され、前記判断手段は、端末機器の周囲の環境条件と記憶手段に記憶された環境条件とを比較し、端末機器の現状制御状態が目標制御状態であるか否かを判断するに加え、
端末機器の周囲の環境条件が、記憶手段に記憶された環境条件であるか否かを判断し、端末機器の現状制御状態が目標制御状態でないと判断手段により判断され、端末機器の周囲の環境条件が記憶手段に記憶された環境条件であると判断手段により判断され、判断手段がタイマー手段により猶予時間が経過したと計測した場合に、前記制御手段は、制御された端末機器の現状制御状態を当該制御状態の一つ前の目標制御状態へ復旧制御させることを特徴としている。
又、本願請求項３記載の発明では、上記請求項２記載の端末機器制御システムにおいて、端末機器の設置エリアが記憶されている機器設置エリア記憶手段を備え、前記設定手段は、環境条件としてエリアを設定し、前記設定手段により設定されたエリアは記憶手段により記憶され、前記判断手段は、機器設置エリア記憶手段における端末機器が設置された設置エリアと、前記設定手段により設定され記憶手段に記憶されたエリアとが一致すると判断すれば、制御された端末機器の現状制御状態を当該制御状態の一つ前の目標制御状態へ復旧制御させることを特徴としている。
又、本願請求項４記載の発明では、上記請求項２記載の端末機器制御システムにおいて、時刻検知手段を備え、前記設定手段は、環境条件として時間帯を設定し、前記設定手段により設定された時間帯は記憶手段により記憶され、前記判断手段は、時刻検知手段により検知された時刻が、前記設定手段により設定され記憶手段に記憶された時間帯内であると判断すれば、制御された端末機器の現状制御状態を当該制御状態の一つ前の目標制御状態へ復旧制御させることを特徴としている。
又、本願請求項５記載の発明では、上記請求項２記載の端末機器制御システムにおいて、人の存在を検知する人検知手段を備え、前記設定手段は、環境条件として人の在又は、不在を設定し、前期設定手段により設定された人の在又は、不在は記憶手段により記憶され、前記判断手段は、環境条件として設定され記憶手段に記憶された人の在又は、不在が人検知手段により検知されたと判断すれば、制御された端末機器の現状制御状態を当該制御状態の一つ前の目標制御状態へ復旧制御させることを特徴としている。
【０００９】
又、本願請求項６記載の発明では、上記請求項１乃至５のいずれか一項に記載の端末機器制御システムにおいて、複数の端末機器を備え、前記設定手段は制御対象である端末機器の目標制御状態及び猶予時間を端末機器単位で設定できることを特徴としている。
【００１０】
又、本願請求項７記載の発明では、上記請求項１乃至５のいずれか一項に記載の端末機器制御システムにおいて、前記設定手段は、制御対象である端末機器の目標制御状態及び猶予時間を端末機器の機能単位で設定できることを特徴としている。
又、本願請求項８記載の発明では、上記請求項１乃至７のいずれか一項に記載の端末機器制御システムにおいて、前記操作手段は、復旧制御させるか否かを、端末機器を操作する際に選択することができる機能を備えることを特徴としている。
【発明の効果】
【００１１】
本願請求項１記載の発明の端末機器制御システムにおいて、操作手段に基づく操作により、制御手段によって、制御された端末機器の現状制御状態が、記憶手段に記憶された目標制御状態でないと判断手段により判断されれば、前記判断手段はタイマー手段を用いて猶予時間を計測し、前記記憶手段に記憶された猶予時間が経過したと計測すれば、制御手段は制御された端末機器の当該現状制御状態を一つ前の目標制御状態へ復旧制御させるので、端末機器を復旧制御させることを失念することを防ぐことができ、また、人の手を煩わすことなく端末機器を自動的に復旧制御させることができる。
【００１２】
又、本願請求項２記載の発明の端末機器制御システムにおいては、特に、端末機器は、端末機器の周囲の環境条件が記憶手段に記憶された環境条件であると判断手段により判断された場合に目標制御状態へ復旧制御されるので、環境条件を設けることでユーザの利用状況に即して端末機器を復旧制御させることができる。
【００１３】
又、本願請求項３記載の発明の端末機器制御システムにおいては、特に、機器設置エリア記憶手段における端末機器が設置されたエリアと、設定手段により設定され記憶手段に記憶されたエリアとが一致すると判断すれば、制御された端末機器の現状制御状態を当該制御状態の一つ前の目標制御状態へ復旧制御させるので、端末機器の設置されたエリアに応じて端末機器を復旧制御させることができる。
【００１４】
又、本願請求項４記載の発明の端末機器制御システムにおいては、特に、時刻検知手段により検知された時刻が、設定手段により設定され記憶手段に記憶された時間帯内であると判断すれば、制御された端末機器の現状制御状態を当該制御状態の一つ前の目標制御状態へ復旧制御させるので、時間帯に応じて端末機器を復旧制御させることができる。
【００１５】
又、本願請求項５記載の発明の端末機器制御システムにおいては、特に環境条件として設定され記憶手段に記憶された人の在又は、不在が人検知手段により検知されたと判断すれば、制御された端末機器の現状制御状態を当該制御状態の一つ前の目標制御状態へ復旧制御させるので、人の在又は、不在に応じて端末機器を復旧制御させることができる。
【００１６】
又、本願請求項６記載の発明の端末機器制御システムにおいては、特に、複数の端末機器を備え、設定手段は端末機器の目標制御状態及び猶予時間を端末機器単位で設定できるので、きめ細かく端末機器の復旧制御を行うことができる。
【００１７】
又、本願請求項７記載の発明の端末機器制御システムにおいては、特に、設定手段は端末機器の目標制御状態及び猶予時間を端末機器の機能単位で設定できるので、更にきめ細かく端末機器の復旧制御を行うことができる。
【００１８】
又、本願請求項８記載の発明の端末機器制御システムにおいては、特に、操作手段は復旧制御させるか否かを、端末機器の操作をする際に選択することができる機能を備えるため、よりユーザの利便性を図ることができる。
【図面の簡単な説明】
【００１９】
【図１】本願発明のシステム構成図。
【図２】本願発明の中央制御装置の構成図。
【図３】本願発明の第一実施形態のフローチャート。
【図４】本願発明の第一実施形態の記憶手段における対応表の構成。
【図５】本願発明の第二実施形態のフローチャート。
【図６】本願発明の第二実施形態の記憶手段における対応表の構成。
【発明を実施するための形態】
【００２０】
第一の実施形態のシステム構成図を図１に示す。この端末機器１制御システムは、図１に示されるように、端末機器１と中央制御装置１０を備える。端末機器１は個別制御手段２−ｂと個別操作手段３−ｂを備え、中央制御装置１０は、図２に示されるように、中央制御手段２−ａと中央操作手段３−ａと判断手段６と記憶手段５と設定手段４とタイマー手段７と機器状態記憶手段５と機器状態監視手段８とを備える。
【００２１】
操作手段３は、端末機器１ごとに設けられた個別操作手段３−ｂと、中央制御装置１０に設けられた中央操作手段３−ａとからなり、個別操作手段３−ｂは個別にそれぞれの端末機器１を操作する操作内容を入力するものであり、中央操作手段３−ａは中央制御装置１０に接続された端末機器１を一括して操作する操作内容を入力することができる。中央操作手段３−ａは、モニタやモニタに設けられたタッチパネルを備えており、タッチパネルを操作することにより、後述する記憶手段５に記憶されたサービスを参照することによりサービスを動作、変更、停止させる操作内容を入力することができる。
【００２２】
制御手段２は、端末機器１ごとに備えられている個別制御手段２−ｂと、中央制御装置１０に設けられた中央制御手段２−ａからなり、個別制御手段２−ｂは対応する個別操作手段３−ｂに入力された操作内容に基づいて端末機器１を制御し、中央制御手段２−ａは中央操作手段３−ａにより入力された操作内容に基づいて端末機器１を一括して制御するものである。また、中央制御手段２−ａは、詳細は後述するが、端末機器１の制御状態が変更され、変更後の制御状態が当該制御状態のまま猶予される猶予時間が経過した場合、端末機器１の周囲の環境条件を加味し、後述する判断手段６が制御状態を変更前の制御状態へ復旧制御する判断をした場合に判断出力に応じて端末機器１を復旧制御するものである。
【００２３】
設定手段４は、端末機器１の所定の制御状態を目標制御状態として設定するものであり、目標制御状態から外れた制御状態が当該制御状態のまま継続され得る猶予時間を設定するものである。また、設定手段４は目標制御状態及び猶予時間に加え、端末機器１の周囲の環境条件を設定することができる。環境条件とは、端末機器１以外の端末機器１の周囲の環境の条件であり、例えば、時間帯や人の在、不在などが挙げられる。
端末機器１の目標制御状態の設定は、端末機器１ごとに設定することができる。すなわち、例えば、端末機器１の目標制御状態を電源がＯＮであるといったように設定することができる。また、目標制御状態は、端末機器１の機能ごとに設定することができる。例えば、端末機器１がエアコンである場合、エアコンの温度設定機能について２０度以上で制御されるように目標制御状態を設定することができる。また、複数の端末機器１を対象に、同じ目標制御状態を一括して設定したり、複数の端末機器１を対象に、それぞれの端末機器１に個別に目標制御状態を設定することにより、複数の端末機器１を目標制御状態で動作させるサービスを設定することができる。
【００２４】
記憶手段５は、設定手段４により設定される目標制御状態及び猶予時間を記憶するものであり、設定手段４により環境条件が設定されれば環境条件も記憶することができる。設定手段４により複数の端末機器１の目標制御状態が設定され、サービスが設定された場合は、複数の端末機器１及び当該端末機器１の目標制御状態を関連付けて記憶することにより、サービスを記憶することができる。また、中央操作手段３−ａからサービスを参照する問い合わせ通知を受信すれば問い合わせの応答として記憶手段５における記憶されているサービスを構成する端末機器１及び端末機器１の目標制御状態を返信するものである。
【００２５】
機器状態監視手段８は端末機器１の制御状態を監視しておき端末機器１の制御状態が変化した時に、判断手段６に変化後の端末機器１の現状の制御状態である現状制御状態を送信するものである。
【００２６】
タイマー手段７は、判断手段６の要求に応じて時刻を計測し計測した経過時間を判断手段６に返信するものである。
【００２７】
判断手段６は、機器状態監視手段８により、端末機器１の制御状態の変化を受信した時に、変化後の端末機器１の現状の制御状態である現状制御状態と記憶手段５に記憶されている当該端末機器１の目標制御状態とを比較し、現状制御状態が目標制御状態でないと判断すればタイマー手段７を用いて猶予時間を計測し、猶予時間が経過したと判断した場合に端末機器１の現状制御状態を一つ前の目標制御状態へ復旧制御させる出力を中央制御手段２−ａへ行うものである。また、判断手段６は、現状制御状態が目標制御状態でないと判断し、猶予時間が経過したと判断した場合に、記憶手段５に環境条件が記憶されていれば、端末機器１の周囲の環境条件と記憶手段５に記憶されている環境条件とを比較し、端末機器１の周囲の環境条件が記憶手段５に記憶された環境条件であると判断すれば、端末機器１の現状制御状態を一つ前の目標制御状態へ復旧制御させる出力を中央制御手段２−ａへ行うものである。
【００２８】
判断手段６は、端末機器１の周囲の環境条件と記憶手段５に記憶されている環境条件とを比較する際、端末機器１の周囲の環境条件を取得するために、図２に示される機器設置エリア記憶手段１１、人検知手段１２又は時刻検知手段１３を用いて環境条件を取得する。例えば、設定手段４により、環境条件として端末機器１の設置エリアが設定され記憶手段５に記憶されている場合、判断手段６は、個々の端末機器１が設置されているエリアをそれぞれ記憶する機器設置エリア記憶手段１１を参照し復旧制御の対象となっている端末機器１が、記憶手段５により記憶されているエリアに設置されているか否か判断し、記憶手段５に記憶されているエリアに設置されている場合は復旧制御すると判断するものである。また、記憶手段５に環境条件として時間帯が記憶されている場合は、判断手段６は、時刻検知手段１３を用いて時刻を検知し、時刻が記憶手段５に記憶されている時間帯内であれば、端末機器１を復旧制御させる判断をするものである。また、記憶手段５に環境条件として人の在又は、不在が記憶され、判断手段６が人検知手段１２を用いて記憶手段５に記憶された人の在又は、不在を検知した場合は、端末機器１を復旧制御させるものである。
【００２９】
次に本実施形態における動作処理を図３に示されるフローチャートに基づいて説明する。なお、記憶手段５には、予め、図４に示す対応表が設定手段４により設定されており、記憶されているものとする。すなわち、サービス（１）は、端末機器１−ａ、１−ｂ、１−ｃにより構成され端末機器１−ａ、１−ｂ、１−ｃの目標制御状態は、それぞれ電源が、ＯＮ、ＯＦＦ、ＯＮと設定されている。また猶予時間は、端末機器１−ａ、１−ｂについては、それぞれ３００秒、１２０秒が設定されているが、端末機器１−ｃについては、猶予時間が設定されていない。これは、猶予時間を設定しないことにより猶予時間が経過しても復旧制御がされないようにすることが可能であり、端末機器１−ｃについては現状制御状態が目標制御状態から外れた場合でも復旧制御がなされない。
【００３０】
また、記憶手段５には環境条件が設定されているが、環境条件の設定は任意であり、設定しないことも可能であるが、本実施形態では、端末機器１−ａ、１−ｂにそれぞれ環境条件である条件（１）、条件（２）が設定されている。端末機器１−ｃについては環境条件が設定されておらず端末機器１−ｃは環境条件が判断されることなく復旧制御がなされる。自動復旧フラグの有無は、中央操作手段３−ａにより、サービスを起動させる際に、このサービスに関する端末機器１を復旧制御させるか否か選択するものであり、中央制御手段２−ａのモニタを確認しながらモニタに設置されたタッチパネルを操作することにより記憶手段５に記憶させることができる。自動復旧フラグの設定は任意であるが、サービスを起動させる際に設定しなければ、自動で「自動復旧フラグ有り」が選択されたことになる。「自動復旧フラグ有り」を選択すれば、通常通り端末機器１の復旧制御がなされるが、「自動復旧フラグ無し」を選択すれば端末機器１の復旧制御がなされない。サービス（１）は「自動復旧フラグ有り」が設定されており、現在サービス状態は起動中である。記憶手段５に設定されているサービス（２）、（３）についての対応表の説明はここでは省略するが、上述したサービス（１）と同様に内容が設定されている。
【００３１】
今、端末機器１−ｂが個別操作手段３−ｂにより操作され現状制御状態が電源ＯＮになったとする。端末機器１−ｂの現状制御状態の変化は、機器状態監視手段８により検知され変化後の現状制御状態と共に判断手段６に出力され、判断手段６は端末機器１−ｂの現状制御状態を取得する（ステップＳ１）。判断手段６は、端末機器１−ｂの目標制御状態を記憶手段５に問い合わせ、その結果得られた目標制御状態「電源ＯＦＦ」と機器状態監視手段８から取得した端末機器１−ｂの現状制御状態「電源ＯＮ」とを比較する。現状制御状態は目標制御状態から外れているため、比較手段は目標制御状態から外れている端末機器１−ｂが存在すると判断する（ステップＳ２）。本実施形態では目標制御状態から外れている端末機器１−ｂが存在すると判断されたが、目標制御状態から外れている端末機器１が存在しないと、判断された場合は、復旧制御は行われず処理は終了する。
【００３２】
次に、判断手段６は記憶手段５に猶予時間を問い合わせる（ステップＳ３）。本実施形態では端末機器１−ｂについての猶予時間１２０秒を記憶手段５から取得する。ここで猶予時間が記憶手段５に設定されていない場合は、復旧制御は行われず処理は終了する。
【００３３】
次に判断手段６は記憶手段５に問い合わせ自動復旧フラグに「自動復旧フラグ有り」又は「自動復旧フラグ無し」のいずれが設定されているか判断する（ステップＳ４）。本実施形態では「自動復旧フラグ有り」が設定されており、ステップＳ５の処理に移行する。一方「自動復旧フラグ無し」が設定されている場合は、復旧制御は行われずれに処理は終了する。
【００３４】
次に判断手段６はタイマー手段７を起動させ（ステップＳ５）、猶予時間を計測し、猶予時間が満了したと判断すれば（ステップＳ６）ステップＳ７の処理に移行する。本実施形態では猶予時間１２０秒を計測し、猶予時間が満了すればステップＳ７の処理に移行するものである。
【００３５】
次に判断手段６は記憶手段５に問い合わせ環境条件が設定されているか否か判断し条件が設定されている場合はステップＳ８の処理に移行し、条件が設定されていない場合は後述するステップＳ９の処理に移行する。本実施形態では記憶手段５から条件（２）を取得し、ステップＳ８の処理に移行する。
【００３６】
ステップＳ８では、判断手段６は、端末機器１−ｂの周囲の環境条件と記憶手段５に記憶された環境条件（２）とを比較し、端末機器１の周囲の環境条件が記憶手段５に記憶された環境条件であると判断すれば、中央制御手段２−ａに端末機器１−ｂを現状制御状態の一つ前の目標制御状態へ復旧制御させる出力を行い、中央制御手段２−ａにより、端末機器１−ｂの目標制御状態への復旧制御がなされる（ステップＳ９）。一方、端末機器１の周囲の環境条件が記憶手段５に記憶された環境条件でないと判断されれば、端末機器１−ｂの目標制御状態への復旧制御は行われずに処理は終了する。
【００３７】
したがって、この実施形態の端末機器制御システムは、端末機器１の現状制御状態が、記憶手段５に記憶された目標制御状態でないと判断手段６により判断されれば、前記判断手段６はタイマー手段７を用いて猶予時間を計測し、前記記憶手段５に記憶された猶予時間が経過したと計測すれば、中央制御手段３−ａは制御された端末機器１の当該現状制御状態を一つ前の目標制御状態へ復旧制御させるので、端末機器１を復旧制御させることを失念することを防ぐことができ、また、人の手を煩わすことなく端末機器１を自動的に復旧制御させることができる。
【００３８】
又、環境条件が設定されていれば、端末機器１は、端末機器１の周囲の環境条件が記憶手段５に記憶された環境条件であると判断手段６により判断された場合に目標制御状態へ復旧制御されるので、環境条件を設けることでユーザの利用状況に即して端末機器１を復旧制御させることができる。
【００３９】
又、本実施形態の端末機器制御システムは、複数の端末機器１を備え、設定手段４によって端末機器１の目標制御状態及び猶予時間を端末機器１単位で設定できるので、きめ細かく端末機器１の復旧制御を行うことができる。
【００４０】
又、中央操作手段３−ａは、復旧制御させるか否かを、端末機器１の操作をする際に選択することができる機能を備えるため、よりユーザの利便性を図ることができる。
【００４１】
次に、第二の実施形態について説明する。なお、ここでは、上記第一の実施形態と相違する事項についてのみ説明し、その他の事項（構成、作用効果等）については、上記第一の実施形態と同様であるのでその説明を省略する。
【００４２】
本実施形態の、記憶手段５には、予め図６に示す対応表が設定手段４により設定されており、記憶されているものとする。本実施形態では、端末機器１の機能ごとにそれぞれ目標制御状態、猶予時間、環境条件を設定することができる点で、上記の第一の実施形態と相違する。すわわち、サービス（４）はエアコン１、エアコン２により構成されエアコン１の目標制御状態はエアコン１の機能である運転／停止機能、風力（強・中・弱）機能、温度機能ごとに、それぞれ停止、弱、２８度以上と設定されている。猶予時間はエアコン１の全ての機能は共通して３６０秒が設定されているが、環境条件については、運転停止機能については「人の不在」が設定されているが、その他の２つ機能については設定されていない。エアコン２についての設定内容の説明は省略するが上述したエアコン１と同様に機能ごとにそれぞれ、目標制御状態、猶予時間、環境条件が設定されている。
【００４３】
本実施形態では、端末機器１の機能ごとにそれぞれ目標制御状態、猶予時間、環境条件を設定することができるため、例えばエアコン１が操作され現状制御状態が２２度となった場合、３６０秒の猶予時間の間に目標制御状態である２８度以上に現状制御状態が変更されなかった場合、中央制御手段２−ａによりエアコン１は２８度である目標制御状態に復旧制御される。
【００４４】
次に、本実施形態における動作処理を図５に示すフローチャートに基づいて説明する。今、エアコン１の運転／停止機能が「運転」に変更されたとする。エアコン１の現状制御状態の変化は、機器状態監視手段８により検知され変化後の現状制御状態「運転」は判断手段６に出力され、判断手段６はエアコン１の現状制御状態を取得する（ステップＳ１１）。判断手段６は、エアコン１の目標制御状態を記憶手段５に問い合わせ、その結果得られた目標制御状態の運転／停止機能「停止」と機器状態監視手段８から取得したエアコン１の現状制御状態の運転／停止機能「運転」とを比較する。現状制御状態は目標制御状態から外れているため、比較手段は目標制御状態から外れているエアコン１が存在すると判断する（ステップＳ１２）。
【００４５】
次に、判断手段６は記憶手段５に猶予時間を問い合わせる（ステップＳ１３）。本実施形態ではエアコン１についての猶予時間３６０秒を記憶手段５から取得する。
【００４６】
次に判断手段６は記憶手段５に問い合わせ自動復旧フラグに「自動復旧フラグ有り」又は「自動復旧フラグ無し」のいずれが設定されているか判断する（ステップＳ１４）。本実施形態では「自動復旧フラグ有り」が設定されており、ステップＳ１５の処理に移行する。
次に判断手段６はタイマー手段７を起動させ（ステップＳ１５）、猶予時間を計測し、猶予時間が満了したと判断すれば（ステップＳ１６）ステップＳ１７の処理に移行する。本実施形態では猶予時間３６０秒を計測し、猶予時間が満了すればステップＳ１７の処理に移行するものである。
【００４７】
次に判断手段６は記憶手段５に問い合わせ環境条件が設定されているか否か判断し条件が設定されている場合はステップＳ１８の処理に移行し、条件が設定されていない場合は後述するステップＳ１９の処理に移行する。本実施形態では記憶手段５から環境条件として「人の不在」を取得し、ステップＳ１８の処理に移行する。
【００４８】
ステップＳ１８では、判断手段６は、エアコン１の周囲の環境条件と記憶手段５に記憶された環境条件「人の不在」とを比較する。エアコン１の周囲の環境条件である、人の在又は不在はエアコン１と同じ部屋に設置され、判断手段６と接続された人検知手段１２から、取得する。今、エアコン１と同じ部屋に家人が存在したとすると、人検知手段１２は「人の在」を検知し、判断手段６へ出力する。判断手段６は記憶手段５に記憶された環境条件「人の不在」異なる環境条件を人検知手段１２から受信し、環境条件が成立したと判断しないため、ステップＳ１８に移行せず、一定の間隔で、繰り返し、環境条件を検証する。ここで、エアコン１と同じ部屋にいた家人が他の場所へ移動し、エアコン１と同じ部屋に家人が存在しなくなったとき、人検知手段１２は「人の不在」を検知し、判断手段６へ出力する。当該出力を受信した判断手段６は記憶手段５に記憶された環境条件「人の不在」と比較し、環境条件が成立したと判断し、中央制御手段２−ａに端末機器１エアコン１を現状制御状態の一つ前の目標制御状態へ復旧制御させる出力を行い、中央制御手段２−ａにより、端末機器１エアコンの目標制御状態への復旧制御がなされる
したがって、本実施形態の端末機器制御システムは、設定手段４によって端末機器１の目標制御状態及び猶予時間を端末機器１の機能単位で設定できるので、きめ細かく端末機器１の復旧制御を行うことができる。
【００４９】
又、本実施形態の端末機器制御システムは環境条件が成立するまで、端末機器１の復旧制御を行わず、環境条件が成立してから端末機器１の復旧制御を行うため、復旧制御を行っても問題ない条件が成立してから端末機器１を復旧制御させることができる。
【符号の説明】
【００５０】
１  端末機器
２  制御手段
３  操作手段
４  設定手段
５  記憶手段
６  判断手段
７  タイマー手段
８  機器状態監視手段
１０  中央制御装置
１１  機器設置エリア記憶手段
１２  人検知手段
１３  時刻検知手段
【図１】
2010187242.tif 000003
【図２】
2010187242.tif 000004
【図３】
2010187242.tif 000005
【図４】
2010187242.tif 000006
【図５】
2010187242.tif 000007
【図６】
2010187242.tif 000008